(57)【要約】【課題】浴槽や洗い場パンからの排水が浴槽パンへ逆流することを防止し、浴槽パンを濡らすことなく、常にドライに維持できるようにする。【解決手段】洗い場パン１からの排水が流れ込む排水トラップ２と、浴槽３及び浴槽載置用の浴槽パン４からの排水を流入させる排水路５とを備える。この排水路５の内部を上下に仕切り、下部を、浴槽３からの排水を排水トラップ２に流入させる浴槽排水路５ａに形成し、上部を、浴槽パン４からの排水を排水トラップ２に流入させる浴槽パン排水路５ｂに形成する。【選択図】　　　図１
2004068328.tif 000002
【特許請求の範囲】
【請求項１】
洗い場パンからの排水が流れ込む排水トラップと、浴槽及び浴槽載置用の浴槽パンからの排水を流入させる排水路とを備え、この排水路の内部が上下に仕切られて下部が浴槽からの排水を排水トラップに流入させる浴槽排水路に形成され、上部が浴槽パンからの排水を排水トラップに流入させる浴槽パン排水路に形成されていることを特徴とする浴室の排水ユニット。
【請求項２】
請求項１記載の浴室の排水ユニットであって、排水トラップ内の底面に、排水路の側に排水が流れるのを防止するための遮断板が起立状に形成されていることを特徴とする浴室の排水ユニット。
【請求項３】
請求項１又は２記載の浴室の排水ユニットであって、排水路が、上面を開口させた凹溝状に形成されると共に、内部を上下に仕切る縦断面ほぼ逆凹形状の仕切部材と、開口状の上面を閉塞する上蓋とを備えて形成され、上記の仕切部材の一端部で排水トラップから遠い側の天面位置に、浴槽からの排水をこの仕切部材の下側の浴槽排水路に導くための排水流入筒が起立状に形成され、この排水流入筒に対応する上記の上蓋の位置に、仕切部材の上側の浴槽パン排水路に浴槽パンからの排水を流入させるための流入口を排水流入筒の外周面との間に作る開口が形成されていることを特徴とする浴室の排水ユニット。
【請求項４】
請求項１又は２記載の浴室の排水ユニットであって、排水トラップと排水路とが一体状に形成され、筒状の排水路の内部を上下に仕切る仕切板が排水路に一体状に形成され、この仕切板の一端部で排水トラップから遠い側の位置に、浴槽からの排水をこの仕切板の下側の浴槽排水路に導くための排水流入筒体が起立状に形成され、この排水流入筒体に対応する排水路の天面位置に、仕切板の上側の浴槽パン排水路に浴槽パンからの排水を流入させるための流入部を、排水流入筒体の外周面との間に作る開口部が形成されていることを特徴とする浴室の排水ユニット。
【発明の詳細な説明】
【０００１】
【発明の属する技術分野】
本発明は、浴室の排水ユニットに関し、更に詳しくは浴槽や洗い場パンからの排水が浴槽を載置するための浴槽パンに逆流することを防止できるよう形成した浴室の排水ユニットに関するものである。
【０００２】
【従来の技術】
ところで浴槽や洗い場パンからの排水は、一時に大量に流れるため、逆流して浴槽パンを濡らすことがある。浴槽パンが濡れて排水で汚染されると、不衛生になり、浴槽パンが異臭の発生源となる。しかし浴槽パンは、浴室内から見ることができず、手を伸ばして簡単に掃除することができない。
【０００３】
そこでこの種の問題を解決するため、従来、浴槽パンの排水口にフロート板を上下動自在に設け、このフロート板を排水時の浮力で目皿に押し付けて目皿の開口を塞ぎ、これによって逆流を防止するよう形成したものがある（例えば特開平９−１９５３４８号公報参照）。
又浴槽パンの排水口に、下端を絞った排水チューブを取り付け、この排水チューブによって浴槽パンへの逆流を防止するよう形成したものも、従来知られている（例えば特開２０００−２９１０９７号公報参照）。
【０００４】
【発明が解決しようとする課題】
しかしながら従来例は、通常、浴槽と浴槽パンからの排水を同一の排水管で洗い場側の排水トラップに流すものであった。従って従来例によると、浴槽や洗い場パンから湯水が一時に大量に排水されると、排水管を逆流し易かった。又浴槽パンの排水口にフロート板を設けていても、浴槽や洗い場パンからの排水量が多いと逆流を充分防止できず、浴槽パンを汚すことがあった。又浴槽パンの排水口に、下端を絞った排水チューブを設ける従来例の場合は、浴槽パンからの排水の流れを妨げる惧れがあった。なぜなら浴槽パンからの排水は、浴槽パン内に過って湯水が入ってしまった場合であり、本来排水量が少なく、従ってチューブを押し広げるのに必要な圧力を得られにくいのが通例だからである。
【０００５】
本発明は、このような従来の実情に鑑み、提案されたものである。
従って本発明の技術的課題は、浴槽や洗い場パンからの排水が浴槽パンへ逆流することを防止し、浴槽パンを濡らすことなく常にドライに維持できるよう形成した浴室の排水ユニットを提供することにある。
【０００６】
【課題を解決するための手段】
本発明は、上記の課題を解決するために、次のような技術的手段を採る。
【０００７】
即ち本発明は、図１等に示されるように、洗い場パン１からの排水が流れ込む排水トラップ２と、浴槽３及び浴槽載置用の浴槽パン４からの排水を流入させる排水路５とを備え、この排水路５の内部が上下に仕切られて下部が浴槽３からの排水を排水トラップ２に流入させる浴槽排水路５ａに形成され、上部が浴槽パン４からの排水を排水トラップ２に流入させる浴槽パン排水路５ｂに形成されていることを特徴とする（請求項１）。
【０００８】
本発明の場合、浴槽排水路５ａや浴槽パン排水路５ｂの断面形状（排水の流れる方向と直交する方向の断面形状）や流路の断面の大きさは任意である。
【０００９】
又本発明は、排水トラップ２内の底面に、排水路５の側に排水が流れるのを防止するための遮断板９が起立状に形成されているのが好ましい（請求項２）。
【００１０】
なぜならこれによると、遮断板９によって水の流れる方向が決められ、排水の流れがスムーズになり、浴槽３や洗い場パン１からの排水を短時間で円滑に排水でき、排水処理能力を向上させることができるからである。
【００１１】
又本発明は、図２等に示されるように、排水路５が、上面を開口させた凹溝状に形成されると共に、内部を上下に仕切る縦断面ほぼ逆凹形状の仕切部材１０と、開口状の上面を閉塞する上蓋１１とを備えて形成され、上記の仕切部材１０の一端部で排水トラップ２から遠い側の天面位置に、浴槽３からの排水をこの仕切部材１０の下側の浴槽排水路５ａに導くための排水流入筒１０ａが起立状に形成され、この排水流入筒１０ａに対応する上記の上蓋１１の位置に、仕切部材１０の上側の浴槽パン排水路５ｂに浴槽パン４からの排水を流入させるための流入口１１ｂを排水流入筒１０ａの外周面との間に作る開口１１ａが形成されているのが好ましい（請求項３）。
【００１２】
なぜならこの場合は、排水路５内に仕切部材１０を入れ、開口状の上面を上蓋１１で塞ぎ、適宜箇所を水密処理することで浴槽排水路５ａと浴槽パン排水路５ｂを簡単に形成できるからである。又これによると、起立状の排水流入筒１０ａや、上向きに開口している流入口１１ｂにより、上から浴槽３や浴槽パン４の配管を容易に接続でき、更には排水路５が凹溝状であるから、本発明品の据え付け姿勢を安定化でき、設置作業を容易化できるからである。
【００１３】
又本発明は、図７〜図９に示されるように、排水トラップ２と排水路５とが一体状に形成され、筒状の排水路５の内部を上下に仕切る仕切板１４が排水路５に一体状に形成され、この仕切板１４の一端部で排水トラップ２から遠い側の位置に、浴槽３からの排水をこの仕切板１４の下側の浴槽排水路５ａに導くための排水流入筒体１４ａが起立状に形成され、この排水流入筒体１４ａに対応する排水路５の天面位置に、仕切板１４の上側の浴槽パン排水路５ｂに浴槽パン４からの排水を流入させるための流入部１５ａを、排水流入筒体１４ａの外周面との間に作る開口部１５が形成されているのでも良い（請求項４）。
【００１４】
この場合は、排水トラップ２と排水路５や、排水路５内を仕切る仕切板１４が一体状に形成されているから、本発明品の組立てに係る手間暇を軽減できる、という利点がある。又この場合も請求項３記載の本発明と同様、起立状の排水流入筒体１４ａや、上面開口状の流入部１５ａを介して浴槽３や浴槽パン４の配管接続を容易化できるものである。
【００１５】
【発明の実施の形態】
以下、本発明の好適な一実施形態を添付図面に従って説明する。
【００１６】
図１等において、１は洗い場パンであり、２はこの洗い場パン１からの排水が流れ込む排水トラップである。又３は浴槽であり、４はこの浴槽３を載置するための浴槽パンである。５は、浴槽３と浴槽パン４からの排水を排水トラップ２に流入させる排水路である。本発明は、この排水路５と上記の排水トラップ２とを備え、この実施形態では両者が一体成形されている。
【００１７】
又上記の排水トラップ２は、蓋６で上面の開口が閉塞され、この蓋６の孔６ａを介して封水筒７が差し入れられている。８は、この排水トラップ２に形成されている排水出口である。排水は、この排水出口８から下水管渠に流されるものである。
【００１８】
９は、排水路５の側に排水が流れるのを防止するための遮断板である。この遮断板９は、この実施形態では排水路５の側に背を向けて平面視でコの字形に形成されると共に、排水トラップ２と一体成形され、排水トラップ２内の底面に起立状に形成されている。
【００１９】
又上記の排水路５は、内部が上下に仕切られて下部が浴槽３からの排水を排水トラップ２に流入させる浴槽排水路５ａに形成され、上部が浴槽パン４からの排水を排水トラップ２に流入させる浴槽パン排水路５ｂに形成されている。１０は、排水路５の内部を上下に仕切る、縦断面ほぼ逆凹形状の仕切部材である。この実施形態の場合、排水路５は上面を開口させて凹溝状に形成され、開口状の上面を閉塞する上蓋１１と、上記の仕切部材１０とを備えて形成されている。
【００２０】
１０ａは、浴槽３からの排水を、仕切部材１０の下側の浴槽排水路５ａに導くための排水流入筒である。この排水流入筒１０ａは、この実施形態では円筒形に形成され、仕切部材１０の一端部で排水トラップ２から遠い側の天面位置に、この実施形態では仕切部材１０と一体成形されて起立状に形成されている。又排水流入筒１０ａに対応する上記の上蓋１１の位置には、例えば円形状の開口１１ａが形成されている。本発明では、この開口１１ａによって、排水流入筒１０ａの外周面との間に、仕切部材１０の上側の浴槽パン排水路５ｂに浴槽パン４からの排水を流入させるための流入口１１ｂが形成されるものである。
【００２１】
なおこの実施形態では、上記の仕切部材１０の排水トラップ２に臨む側の上面位置に、垂直板１２が形成され、この垂直板１２の中央位置に、仕切部材１０の天面を伝わって流れる排水を排水トラップ２に流出させるための流出口１２ａが形成されている。この流出口１２ａには、排水トラップ２の側から浴槽パン排水路５ｂへ排水が逆流することを防止するための逆止弁１３が垂れ下げられている。又この実施形態の場合、排水路５の内面に接する仕切部材１０の箇所等には、例えばコーキング材が適宜塗布され、水密処理されている。
【００２２】
次に本発明の作用を説明する。
本発明の場合、浴槽３からの排水は、排水流入筒１０ａから浴槽排水路５ａに流れ込み、遮断板９の両側を経て排水トラップ２に至り、排水出口８から排水される。この場合本発明は、排水路５の上部を浴槽パン排水路５ｂに形成している。従って本発明では、排水の流出口１２ａが排水トラップ２内の高い位置に開口され、又排水の流出口１２ａに逆止弁１３を垂れ下げて取り付けることができるから、浴槽３から一時に排水が大量に流れ出しても、浴槽パン排水路５ｂ内に排水が逆流することを防止できる。
【００２３】
又浴槽パン４からの排水は、流入口１１ｂから浴槽パン排水路５ｂに流れ込み、流出口１２ａから排水トラップ２を経て排水出口８から排水される。又洗い場パン１からの排水は、封水筒７から排水トラップ２に流れ込み、排水出口８から排水される。この場合、排水は、遮断板９によって流れが規制され、排水路５の側に流れることが防止されるため、排水出口８に円滑に導かれる。又洗い場パン１から排水が一時に大量に排水トラップ２に流れ込んでも、本発明では上記の通り、流出口１２ａが高い位置に配置され、又逆止弁１３で流出口１２ａを閉塞できるため、排水が浴槽パン排水路５ｂに逆流することを防止できる。
【００２４】
以上の処において、本発明は、図７〜図９に示されるように、上記の排水トラップ２と排水路５とが一体状に形成されているのでも良い。この実施形態の本発明は、排水路５が、縦断面方形の角筒状に形成され、内部を上下に仕切る仕切板１４が排水路５に一体状に形成されている。この仕切板１４の一端部で排水トラップ２から遠い側の位置に、浴槽３からの排水をこの仕切板１４の下側の浴槽排水路５ａに導くための排水流入筒体１４ａが仕切板１４と一体成形されて起立状に形成されている。排水流入筒体１４ａに対応する排水路５の天面位置には、円形状の開口部１５が形成されている。本発明では、この開口部１５によって、排水流入筒体１４ａの外周面との間に、仕切板１４の上側の浴槽パン排水路５ｂに浴槽３からの排水を流入させるための流入部１５ａが形成される。この実施形態の場合、遮断板９の機能や排水の流れ等は、上例と同様である。
【００２５】
又上例では、排水の流出口１２ａが垂直板１２に形成されているが、本発明はこれに限定されるものではない。即ち本発明の場合、排水の流出口１２ａは、例えば図７等に示されるように、排水トラップ２を形成する側壁部２ａに形成されているのでも良い。
【００２６】
【発明の効果】
以上説明したように本発明は、排水路を二階建て構造に形成し、下部を浴槽からの排水を流す浴槽排水路に、上部を浴槽パンからの排水を流す浴槽パン排水路に形成しているものである。
【００２７】
従って本発明の場合は、浴槽からの排水と浴槽パンからの排水を別個に排水でき、浴槽パン排水路の排水の流出口を排水トラップ内の高い位置に配置でき、又この流出口に逆止弁を垂れ下げて設けることができる。
それ故これによれば、従来品に比べ、浴槽パンへの排水の逆流を防止でき、浴槽パンをドライに維持できる。
【図面の簡単な説明】
【図１】本発明の排水ユニットの好適な一実施形態を示す要部縦断面図である。
【図２】同上排水ユニットの分解斜視図である。
【図３】同上排水ユニットの斜視図である。
【図４】同上排水ユニットの平面図である。
【図５】同上排水ユニットの正面図である。
【図６】同上排水ユニットの一部を切欠した要部斜視図である。
【図７】同上排水ユニットの他の実施形態を示す要部縦断面図である。
【図８】図７の実施形態に係る本発明品の斜視図である。
【図９】図７の実施形態に係る本発明品の一部を切欠した要部斜視図である。
【符号の説明】
１　　洗い場パン
２　　排水トラップ
３　　浴槽
４　　浴槽パン
５　　排水路
５ａ　浴槽排水路
５ｂ　浴槽パン排水路
【図１】
2004068328.tif 000003
【図２】
2004068328.tif 000004
【図３】
2004068328.tif 000005
【図４】
2004068328.tif 000006
【図５】
2004068328.tif 000007
【図６】
2004068328.tif 000008
【図７】
2004068328.tif 000009
【図８】
2004068328.tif 000010
【図９】
2004068328.tif 000011